(57)【特許請求の範囲】
【請求項１】
遊技盤の遊技領域に入賞装置を備えた遊技機であって、
前記入賞装置は、球が流入可能な入賞口を有する横長空間状の入賞室と、前記入賞口を開閉する横長方形状の扉部材と、を備え、
前記入賞室は、前記入賞口から流入した球が転がる底床部と、該底床部の幅方向の略中央部の奥側に位置して前記球を排出する球排出口とを有し、さらに前記底床部は、入賞室の一側部から前記球排出口を含む範囲を低床部にすると共に球排出口の端から他側部までを高床部にして前記低床部との境界部に段差壁を形成してなり、
一方、前記扉部材は、前記入賞口の前側近傍において起立して閉じる閉じ位置と、前記入賞口の下部前方に倒されて開放する開き位置とに配置切換可能に設けられ、さらに前記開き位置に切換えられたときに上向きを呈する球受け面が、前記入賞室の底床部の段差形状に対応させて一側部から幅方向の略中央部までの範囲を低段部にすると共に該略中央部から他側部を高段部にして該高段部と前記低段部の境界部を段差壁とした段差状になっていることを特徴とする遊技機。
【発明の詳細な説明】
【０００１】
【発明の属する技術分野】
この発明は、例えば、パチンコ機等の弾球遊技機とも呼ばれている遊技機に関する。
【０００２】
【従来の技術】
従来、遊技機（弾球遊技機）においては、その遊技盤の盤面上を流れる球（パチンコ球）が流入可能な入賞口を有する入賞室と、その入賞口を開閉する扉部材と、をそれぞれ備えた入賞装置が知られている。例えば、「大当たり」の遊技時において、扉部材が開き、その入賞室の底床部に設けられた球排出口（カウント口とも呼ばれている）に流入した球が所定数（例えば１０個）カウントされるか、あるいは、所定時間（例えば３０秒）経過すると、扉部材が閉じ、１ラウンドの大当たり遊技が行われる。そして、所定時間（例えば５秒）経過後、扉部材が再び開き、最大で１６ラウンドの大当たり遊技が行われるように構成された入賞装置（例えば、「アタッカ」と呼ばれている入賞装置）が知られている。このような形式の入賞装置において、扉部材が開いたときには短時間に多くの球が入賞口に流入できるように、その入賞口並びに入賞室が横長状に形成され、その入賞室の底床部の奥側に球排出口が形成されるのが一般的であった。
【０００３】
【発明が解決しようとする課題】
ところで、前記入賞装置においては、扉部材が開いた状態にあるときに、球が入賞口の一側寄り部分から入賞室の他側に向けて流入することがある。そして、球が入賞室の他側内壁面に当たって跳ね返り、入賞室の底床部上を左右方向に往復動しながら球排出口に流入する場合があった。この場合、入賞口から入賞室内に流入した球が球排出口に流入するのに要する時間が長くなる。球排出口に対する球の流入に要する時間が長くなると、設定値（例えば１０個）以上の多くの球が入賞室に流入し易くなるという問題点があった。
【０００４】
この発明の目的は、前記問題点に鑑み、入賞室に流入した球を短時間で球排出口に誘導することができる入賞装置を備えた遊技機を提供することである。
【０００５】
【課題を解決するための手段】
遊技盤の遊技領域に入賞装置を備えた遊技機であって、
前記入賞装置は、球が流入可能な入賞口を有する横長空間状の入賞室と、前記入賞口を開閉する横長方形状の扉部材と、を備え、
前記入賞室は、前記入賞口から流入した球が転がる底床部と、該底床部の幅方向の略中央部の奥側に位置して前記球を排出する球排出口とを有し、さらに前記底床部は、入賞室の一側部から前記球排出口を含む範囲を低床部にすると共に球排出口の端から他側部までを高床部にして前記低床部との境界部に段差壁を形成してなり、
一方、前記扉部材は、前記入賞口の前側近傍において起立して閉じる閉じ位置と、前記入賞口の下部前方に倒されて開放する開き位置とに配置切換可能に設けられ、さらに前記開き位置に切換えられたときに上向きを呈する球受け面が、前記入賞室の底床部の段差形状に対応させて一側部から幅方向の略中央部までの範囲を低段部にすると共に該略中央部から他側部を高段部にして該高段部と前記低段部の境界部を段差壁とした段差状になっている遊技機を提供する。
【０００６】
本発明の遊技機の入賞装置は、扉部材が開き位置にある状態において、入賞室の低床部上に流入した球は段差壁に当たることで、その球が高床部に流れることが防止される。また、入賞室の高床部上に流入した球は、その高床部上を流れた後、段差壁を越えて低床部上を流れる。低床部上に流れた球は入賞室の側壁内面に当たって跳ね返り、高床部側に向けて流れることがあったとしても、その球が段差壁に当たることで、高床部に流れることが防止される。このようにして、入賞室の底床部上を球が左右方向に往復動する幅寸法を段差壁において小さく制限することができ、その分だけ球が入賞室の奥側の球排出口に流入するのに要する時間を短縮することが可能となる。
【０００７】
また、本発明の遊技機の入賞装置は、扉部材が、入賞口の前側近傍において起立して閉じる閉じ位置と、前記入賞口の下部前方に倒されて開放する開き位置とに配置切換可能に設けられる。前記扉部材が前記開き位置に配置されたときに上に向く同扉部材の球受け面は、入賞室の底床部の段差形状に対応して、その幅方向略中央部の前側から奥側に延びる段差壁を有し、その段差壁の一側部に低段部、他側部に高段部を有して段差状に形成されている。したがって、扉部材の球受け面上を球が往復動する幅寸法を同球受け面上の段差壁において小さく制限することができ、その分だけ球が入賞口を経て入賞室に流入するのに要する時間を短縮することが可能となる。ひいては、扉部材の球受け面上に受けられた球が、入賞室に流入してその入賞室奥側の球排出口に流入するのに要する時間を短縮することが可能となる。
【０００８】
【発明の実施の形態】
この発明の実施の形態を図面にしたがって説明する。弾球遊技機とも呼ばれる遊技機（主としてパチンコ機）の遊技盤を正面（前面）から表した図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５の略中央部には役物装置３０（センター役物と呼ばれることもある）が装着されている。この役物装置３０は、役物本体３１及び図柄表示装置３３を備えている。
【０００９】
役物装置３０の役物本体３１は、複数又は単数の構成部材によって形成され、遊技盤１０の略中央部に貫設された役物装着孔の前面開口部の周縁を塞ぐようにして枠状に構成され、略中央部には開口窓３２が形成されている。そして、役物本体３１はビス等によって遊技盤１０の前方からその遊技盤１０の前面に取り付けられるようになっている。また、役物本体３１の後側には、その開口窓３２に表示部３４を臨んで図柄表示装置３３が装着されている。この図柄表示装置３３の表示部３４の略全域には、特定図柄が変動表示される特定図柄表示領域が設けられている。また、表示部３４の一部には、普通図柄が変動表示される普通図柄表示部３５が設けられている。
【００１０】
また、役物本体３１には、遊技領域１５を流れる球が流入可能な球通路（ワープ通路と呼ばれることもある）や、その球通路の流出口から流出した球を受ける球受け棚３６が形成されている。この球受け棚３６は、球通路の流出口から流出した球を受ける波形凹凸状をなす高段部３７と、その高段部３７から流下した球を受ける波形凹凸状をなす低段部３８とを備えて上下２段に構成されている。そして、低段部３８の中央部には、球を流下案内する案内凹部３９が形成されている。この案内凹部３９は、役物装置３０の下方中央部に位置して遊技盤１０に装着された始動装置４０の始動口４１の直上に位置しており、案内凹部３９に案内されて流下した球が始動口４１に流入する確率が高くなるように構成されている。また、始動装置４０は、一対の開閉部材４２によって拡開及び縮小される始動口４１を備え、その始動口４１に球が流入すると、図柄表示装置３３が作動し、図柄表示装置３３の表示部３４には特定図柄が変動表示されるようになっている。
【００１１】
また、遊技盤１０の遊技領域１５には、役物装置３０の上下左右側方の計４箇所に風車器１８がそれぞれ配設されるとともに、役物装置３０の片側（図１に向かって左側）に位置して普通図柄始動用ゲート口を有するゲート器２０が設けられている。このゲート器２０の普通図柄始動用ゲート口を球が通過することで、普通図柄表示部３５が作動して普通図柄の抽選が行われる。そして、普通図柄表示部３５の抽選に基づいて、始動装置４０の開閉部材４２が所定時間（例えば、１秒間）だけ開き、これによって始動装置４０の始動口４１に対し球が流入し易くなるようになっている。また、遊技盤１０の遊技領域１５には、その最下端に位置してアウト口４３が形成され、左右両側方に位置して装飾用レンズ２３を有するサイド装飾部材２２が配設されている。これらサイド装飾部材２２の所定位置には一般入賞口２４が設けられている。なお、遊技領域１５の略全域にわたって多数の釘が配設されている。
【００１２】
さて、遊技盤１０の遊技領域１５には、その始動装置４０の下方に接近して入賞装置５０（「アタッカ」とも呼ばれる場合がある）が装着されている。図２〜図５に示すように、入賞装置５０の本体構成部材５１は、複数又は単数の構成部材によって構成されている。この実施の形態において、本体構成部材５１は、前側部材５２と後側部材５３とが一体状に組み付けられて構成され、遊技盤１０の前側から同遊技盤１０の入賞装置組付孔に嵌込まれて、その前側部材５２が遊技盤１０の盤面（前面）にビス等によって固定されて装着されている。前側部材５２の略中央部には、複数の球Ｂが同時に流入可能な横長四角形状をなす大入賞口とも呼ばれる入賞口６０が形成されている。また、前側部材５２と、前側部材５２の後側面に組み付けられた後側部材５３によって、入賞口６０において開口する横長四角形状をなす入賞室６１が形成されている。
【００１３】
図２と図３に示すように、入賞室６１の底床部には、その幅方向（左右方向）略中央部の前側から奥側に延びる段差壁６４を有し、その段差壁６４の一側部（図２に向かって左側部）に低床部６２、他側部（図２に向かって右側部）に高床部６３を有して段差状に形成されている。また、低床部６２及び高床部６３は、段差壁６４側が低く反対側が高い傾斜面にそれぞれ形成されている。さらに、低床部６２及び高床部６３は、手前側が高く奥側が低い傾斜面をなしている。また、低床部６２の前側上面には、段差壁６４に隣接する位置において略３角形状をなす球案内片６５が突設されおり、低床部６２を流れる球Ｂが球案内片６５に案内されて段差壁６４の奥側に導かれるようになっている。
【００１４】
また、この実施の形態において、入賞室６１の低床部６２と高床部６３との段差壁６４の高さ寸法Ｈは、球Ｂの半径寸法よりも適宜に大きく設定されている（図６参照）。また、図３と図６に示すように、入賞室６１の底床部の奥側には、低床部６２側でかつ段差壁６４の奥側に位置して球排出口６７が形成されている。この球排出口６７の近傍（この実施の形態では球排出口６７の下流側に接近して隣接する位置）には、球排出口６７の下流側に連通しかつ球Ｂの通過を検出するための球通過孔を有する近接スイッチよりなる球検出器６８（カウント検出器とも呼ばれる）が設けられている。
【００１５】
図４〜図７に示すように、本体構成部材５１の前側部材５２には、その入賞口６０を開閉する横長四角形の板状をなす扉部材７０が、その下部の左右両側部に突出された扉軸７１を支点として開閉可能に装着されている。扉部材７０は、扉用ソレノイド８１を駆動源とする扉作動装置８０によって、図５と図７に示すように、入賞口６０の前側近傍において起立して閉じる閉じ位置と、図６と図１０に示すように、入賞口６０の下部前方に倒されて開放する開き位置とに配置切換可能に構成されている。
【００１６】
この実施の形態において、扉部材７０の片側の側壁部７７の外側面には連動軸７８が側方に突出して一体に形成される一方、その連動軸７８と扉用ソレノイド８１の作動軸８２との間には、作動部材８３と連動部材９０とがそれぞれ配設されている。すなわち、本体構成部材５１の後側部材５３の所定位置には、扉用ソレノイド８１が横向きに固定されており、その扉用ソレノイド８１の作動軸８２の先端部には作動部材８３が取り付けられている。この作動部材８３の端縁部には、左右方向の板状の案内部８４が一体状に形成され、その案内部８４の前面には、本体構成部材５１の後側部材５３に形成された図示しない横方向に案内に沿って移動案内される案内ピン８４ａが突設されている。また、作動部材８３の端縁部の下部には、上下方向の長孔状の連結孔８５ａを有する連結部８５が形成されている。
【００１７】
一方、連動部材９０は、その中央部のボス部９０ａにおいて、後側部材５３の所定位置に固定された前後方向に水平な軸９１の回りに回動可能に嵌挿されている。この連動部材９０のボス部９０ａの外周面には、アーム部９６が形成され、そのアーム部９６の先端部には、作動部材８３の連結部８５の連結孔８５ａに上下方向に移動可能に嵌挿される連結軸９７が形成されている。また、連動部材９０のボス部９０ａの外周面には、扉部材７０の連動軸７８が差し込まれる開口部をもって略Ｃ字状に形成された係合部９３が形成され、その係合部９３の上側部分を閉止用係合片９４とし、下側部分を開放用係合片９５としている。
【００１８】
そして、大当たり時において、図１０〜図１２に示すように、扉用ソレノイド８１が励磁されると、作動軸８２及び作動部材８３を介して連動部材９０が軸９１を中心として時計回り方向に回動されることで、開放用係合片９５によって扉部材７０の連動軸７８が所定量だけ押し上げられ、その後、扉部材７０が自重によって開き位置に配置切換されるようになっている。また、扉部材７０が開き位置に配置された状態において、同扉部材７０は、入賞口６０の下部前方に上向き傾斜状（略水平状）をなして倒された状態となる。これとは逆に、図９に示すように、扉用ソレノイド８１が非励磁状態にあるときには、作動軸８２及び作動部材８３を介して、連動部材９０が軸９１を中心として反時計回り方向に回動されることで、閉止用係合片９４によって扉部材７０の連動軸７８が押し下げられ、これによって、扉部材７０が入賞口６０の前側近傍において起立状態をなす閉じ位置に配置切換されるようになっている。
【００１９】
また、この実施の形態において、図２と図１０に示すように、扉部材７０が開き位置に配置されたときに上に向く球受け面は、入賞室６１の底床部の段差形状に対応して、その幅方向略中央部の前側から奥側に延びる段差壁７６を有し、その段差壁７６の一側（図２に向かって左側）に低段部７４、他側（図２に向かって右側）に高段部７５を有して段差状に形成されている。
【００２０】
この実施の形態に係る遊技機としてのパチンコ機は上述したように構成される。したがって、遊技の際、図示しない球発射装置から球発射通路１４に発射された球Ｂ（パチンコ球）は、遊技領域１５の上部に打ち出され、多数の釘、風車器１８等に案内されながら遊技領域１５の下部に向けて流れる。遊技領域１５に打ち出された球Ｂのうち、一部の球Ｂはゲート器２０の普通図柄始動用ゲート口を通過したり、あるいは、一般入賞口２４、あるいは始動装置４０の始動口４１に流入する。また、前記各入賞口に流入しなかった多くの球Ｂは遊技領域１５の下部のアウト口４３に流入し、機外に排出される。
【００２１】
球Ｂがゲート器２０の普通図柄始動用ゲート口を通過すると、その球Ｂがセンサによって検出され、その検出信号が図示はしないがパチンコ機の所定位置に設置された主制御装置（主制御基板とも呼ばれている）に送られる。すると、その信号が図柄表示装置３３に伝達され、その表示部３４の一部に設けられた普通図柄表示部３５の図柄が変動する。そして普通図柄表示部３５には、抽選結果に基づく図柄が表示される。普通図柄表示部３５の図柄が当たり図柄となって表示されると、始動装置４０の始動口４１の開閉部材４２が所定時間（例えば、１秒間）開放して閉じる。始動装置４０の始動口４１に球Ｂが流入すると、その球Ｂがセンサによって検出され、その検出信号が主制御装置に送られる。すると、その信号が図柄表示装置３３に伝達され、これによって表示部３４に表示された図柄が変動し、設定時間後停止する。そして、表示部３４には抽選結果に基づく図柄が表示される。
【００２２】
表示部３４に表示された特定図柄が「大当たり図柄」、例えば「７・７・７」となって停止した場合、大当たりとなる。この際、主制御装置からの信号によって、扉用ソレノイド８１が励磁される。扉用ソレノイド８１が励磁されると、作動軸８２と共に作動部材８３が引き込まれ、連動部材９０が軸９１を中心として時計回り方向に回動される。すると、連動部材９０の開放用係合片９５によって扉部材７０の連動軸７８が押し上げられて扉部材７０が所定の開度だけ開き動作された後、同扉部材７０は自重によってその連動軸７８が連動部材９０の閉止用係合片９４に当接する開き位置、すなわち、入賞口６０の下部前方に上向き傾斜状をなして倒される開き位置に配置切換される（図１０〜図１２参照）。
【００２３】
前記したように、入賞装置５０の扉部材７０が開かれ入賞口６０が開放されると、遊技盤１０上を流下する多くの球Ｂが短時間の間に入賞口６０に入り易い状態となる。この状態において、入賞口６０に向けて流れる球Ｂは、扉部材７０の球受け面に受けられた後、入賞口６０を経て入賞室６１に流入する。そして、入賞室６１に流入した球Ｂは入賞室６１の底床部を流れ、奥側の球排出口６７に流入して排出される。
【００２４】
球排出口６７に流入した球Ｂが球検出器６８の球通過孔を通過すると、その球通過の検出信号が主制御装置に送られる。そして、球排出口６７の球検出器６８からそれぞれ送られた検出信号によって球Ｂが所定数（例えば、１０個）カウントされるか、あるいは、所定時間（例えば３０秒）経過すると、扉用ソレノイド８１が非励磁の状態にされる。すると、扉部材７０が閉じられ、大当たり遊技の１ラウンドが終了する。１ラウンドの大当たり遊技が終了後、所定時間（例えば２秒）経過すると、扉部材７０が、再び前記したようにして開かれ、大当たり遊技の２ラウンドが行われる。このように扉部材７０が所定のラウンド回数（例えば、最大１６回）だけ開閉を繰り返すことで、大当たり遊技が終了する。
【００２５】
さて、図３に示すように、入賞室６１の底床部は、その幅方向（左右方向）略中央部の前側から奥側に延びる段差壁６４を有し、その段差壁６４の一側部に低床部６２、他側部に高床部６３を有して段差状に形成されている。このため、扉部材７０が開き位置にある状態において、入賞室６１の一側寄り部分、例えば、低床部６２側から反対側の高床部６３側に向けて球Ｂが流入した場合、低床部６２上を流れる球Ｂが段差壁６４に当たることで、その球Ｂが高床部６３に流れることが防止される。
【００２６】
また、入賞室６１の高床部６３側から反対側の低床部６２側に向けて球Ｂが流入した場合、その球Ｂは高床部６３上を流れた後、段差壁６４を越えて低床部６２上を流れる。低床部６２上に流れた球Ｂは入賞室６１の側壁内面に当たって跳ね返り、高床部６３側に向けて流れる場合がある。この場合においても、球Ｂが段差壁６４に当たることで、その球Ｂが高床部６３に流れることが防止される。言い換えると、入賞室６１の底床部上を球Ｂが左右方向に往復動する幅寸法を段差壁６４において小さく制限することができ、その分だけ球Ｂが入賞室６１奥側の球排出口６７に流入するのに要する時間を短縮することが可能となる。また、この実施の形態においては、球排出口６７に隣接しかつ球排出口６７から排出された球Ｂを検出する球検出部としての球検出器６８（カウント検出器とも呼ばれる）が設けられている。このため、入賞室６１に流入した球Ｂが球排出口６７を経て球検出器６８において検出されるに要する時間を短縮することができる。この結果、大当たり遊技の各ラウンドの進捗が速くなり、また、入賞室６１内に所定数（例えば、１０個）以上の球Ｂが流入する不具合を軽減することができる。
【００２７】
また、この実施の形態において、低床部６２側でかつ段差壁６４の奥側に位置して球排出口６７が形成されている。このため、段差壁６４に当たった球Ｂはその段差壁６４に案内されて球排出口６７に流入可能となり、入賞室６１に流入した球Ｂが、球排出口６７に流入するのに要する時間を効率よく短縮することが可能となる。また、低床部６２及び高床部６３は、段差壁６４側が低く反対側が高い傾斜面にそれぞれ形成されている。このため、低床部６２及び高床部６３にそれぞれ受けられた球Ｂは低床部６２及び高床部６３の傾斜面に沿ってかつ段差壁６４に向けて流れ、その後、段差壁６４に案内されて球排出口６７に流入する。さらに、低床部６２及び高床部６３は、手前側が高く奥側が低い傾斜面をなしている。このため、低床部６２及び高床部６３にそれぞれ受けられた球Ｂは低床部６２及び高床部６３の傾斜面に沿って入賞室６１の奥側に向けて流れながら段差壁６４に向けて流れるため、入賞室６１に流入した球Ｂが、球排出口６７に流入するのに要する時間をより一層効率よく短縮することが可能となる。
【００２８】
また、この実施の形態において、図６に示すように、入賞室６１の低床部６２と高床部６３との段差壁６４の高さ寸法Ｈは、球Ｂの半径寸法よりも適宜に大きく設定されている。このため、低床部６２を流れる球Ｂが段差壁６４に勢いよく衝突したとしても、その球Ｂが段差壁６４を乗り越えて高床部６３に流れることを良好に防止することができる。
【００２９】
また、この実施の形態において、図２に示すように、扉部材７０が開き位置に配置されたときに上に向く球受け面は、入賞室６１の底床部の段差形状に対応して、その幅方向略中央部の前側から奥側に延びる段差壁７６を有し、その段差壁７６の一側に低段部７４、他側に高段部７５を有して段差状に形成されている。このため、扉部材７０の球受け面上を球Ｂが左右方向に往復動する幅寸法を段差壁７６において小さく制限することができ、その分だけ球Ｂが入賞口６０を経て入賞室６１に流入するのに要する時間を短縮することが可能となる。ひいては、扉部材７０の球受け面上に受けられた球Ｂが、入賞室６１に流入してその奥側の球排出口６７に流入するのに要する時間を短縮することが可能となる。
【００３０】
なお、この発明は前記実施の形態に限定するものではない。例えば、前記実施の形態においては、球排出口６７が、低床部６２側でかつ段差壁６４の奥側に位置して形成される場合を例示したが、図１３に示すように変更してもよい。すなわち、低床部６２と高床部６３を有して底床部が段差状に形成された入賞室６１において、球排出口６７を、低床部６２側でかつ段差壁６４と反対側の奥側に球排出口６７を形成しても、入賞室６１の底床部上を球Ｂが左右方向に往復動する幅寸法を段差壁６４において小さく制限することができ、その分だけ球Ｂが入賞室６１の奥側の球排出口６７に流入するのに要する時間を短縮することが可能となる。
【００３１】
【発明の効果】
以上述べたように、この発明によれば、入賞室の底床部上を球が左右方向に往復動する幅寸法を段差壁において小さく制限することができるため、入賞室に流入した球が球排出口に流入するのに要する時間を短縮することができる。
【００３２】
また、本発明の遊技機の入賞装置は、扉部材が前記開き位置に配置されたときに上に向く同扉部材の球受け面が、入賞室の底床部の段差形状に対応して、その幅方向略中央部の前側から奥側に延びる段差壁を有し、その段差壁の一側部に低段部、他側部に高段部を有して段差状に形成されている。したがって、扉部材の球受け面上を球が往復動する幅寸法を同球受け面上の段差壁において小さく制限することができ、その分だけ球が入賞口を経て入賞室に流入するのに要する時間を短縮することが可能となる。ひいては、扉部材の球受け面上に受けられた球が、入賞室に流入してその入賞室奥側の球排出口に流入するのに要する時間を短縮することが可能となる。
【図面の簡単な説明】
【図１】この発明の実施の形態に係る遊技機としてのパチンコ機の遊技盤を示す正面図である。
【図２】同じく入賞装置を拡大して示す斜視図である。
【図３】同じく入賞装置の本体構成部材を破断して示す斜視図である。
【図４】同じく入賞装置の扉部材が閉じた状態を示す正面図である。
【図５】同じく図４のＶ−Ｖ線に基づく側断面図である。
【図６】同じく入賞装置の扉部材が開いた状態を示す側断面図である。
【図７】同じく入賞装置の扉部材が閉じときの扉部材と扉用ソレノイドとの関係を示す斜視図である。
【図８】同じく平面図である。
【図９】同じく正面図である。
【図１０】同じく入賞装置の扉部材が開いたときの扉部材と扉用ソレノイドとの関係を示す斜視図である。
【図１１】同じく平面図である。
【図１２】同じく正面図である。
【図１３】この発明の他の実施の形態を示す説明図である。
【符号の説明】
１０… 遊技盤
５０… 入賞装置
６０… 入賞口
６１… 入賞室
６２… 低床部
６３… 高床部
６４… 段差壁
６７… 球排出口
７０… 扉部材
７４… 低段部
７５… 高段部
７６… 段差壁
【図１】
0004148395.tif 000002
【図２】
0004148395.tif 000003
【図３】
0004148395.tif 000004
【図４】
0004148395.tif 000005
【図５】
0004148395.tif 000006
【図６】
0004148395.tif 000007
【図７】
0004148395.tif 000008
【図８】
0004148395.tif 000009
【図９】
0004148395.tif 000010
【図１０】
0004148395.tif 000011
【図１１】
0004148395.tif 000012
【図１２】
0004148395.tif 000013
【図１３】
0004148395.tif 000014